(57)【特許請求の範囲】
【請求項１】
可視光を発光する発光素子を備えた光源と、その表面に対向する背面上に設けられた放熱フィンを備えた放熱器と、前記放熱器に対して空気を流動させる様に配置された、前記空気を流動させるための送風装置と、前記光源から発せられた前記可視光を屈折させるためのレンズとを備え、
前記光源は、前記放熱器の前記表面に熱的に接続されており、
前記レンズは前記光源との間に空間を形成する様に配置されている、映像表示装置であって、
前記送風装置により前記映像表示装置内に取り込まれた前記空気の一部が、前記放熱フィンの間隙を経た後に前記映像表示装置の外部へと排気されるまでの第１流路と、
前記送風装置により前記映像表示装置内に取り込まれた前記空気の一部が、前記放熱フィンの間隙を経た後に、前記第１流路とは別に、前記光源と前記レンズとの間に形成された前記空間を流れるための第２流路と、
を備え、
前記送風装置により前記映像表示装置内に取り込まれた前記空気は、前記放熱フィンの間隙を別方向へ通過することにより前記第１流路と前記第２流路との２方向に分岐し、
前記レンズの材料はプラスチックであることを特徴とする、
映像表示装置。
【請求項２】
請求項１に記載の映像表示装置であって、
前記レンズは、前記光源と対向する面の表面上に形成された反射防止膜を有することを特徴とする、
映像表示装置。
【請求項３】
請求項１または２に記載の映像表示装置であって、
前記光源は、
前記光源の端部に設けられた、前記発光素子に電気を供給するためのコネクタを更に備えており、
前記コネクタは少なくとも部分的に前記流路中に配置されていることを特徴とする、
映像表示装置。
【請求項４】
請求項１乃至３の何れか１項に記載の映像表示装置であって、
映像を表示するための光学系と表示デバイスとを搭載した光学エンジンを更に備えており、
前記光学エンジンの筐体は、前記光源と共に前記流路を形成しており、且つ、前記レンズを前記筐体に装着するための取り付け開口部を備えていることを特徴とする、
映像表示装置。
【発明の詳細な説明】
【技術分野】
【０００１】
この発明は、映像表示装置に関する。
【背景技術】
【０００２】
特許文献１は、光学素子（投射レンズ）の保持部材（レンズホルダ）に放熱部としてのフィンを設けたプロジェクタを開示している。特許文献１に記載のプロジェクタに於いては、光学素子で生じた熱は、光学素子の保持部材に伝熱された後に、保持部材に設けられた放熱部である放熱フィンから放熱される。
【０００３】
【特許文献１】特開２００６−１３９０２２号公報
【発明の開示】
【発明が解決しようとする課題】
【０００４】
しかしながら、特許文献１のプロジェクタに記載された様な構造を有する従来の映像表示装置に於いては、レンズ等の光学素子に於いて生じる熱を十分に冷却することが出来ないという問題点がある。例えば、光源の明るさを向上させた場合には、光学素子を通過する光のエネルギーが増加するために、光学素子で生じる熱が増加してしまう結果、光学素子を十分に冷却することが出来ない。
【０００５】
特に、特許文献１に記載のプロジェクタの構造に於いては、放熱部を設けた光学素子の保持部材と光学素子との接触面積が限られるために、光学素子から当該光学素子の保持部材への熱の移動量に限界があり、光学素子で生じた熱を当該光学素子の保持部材へと十分に伝導することが出来ず、その結果、光学素子を十分に冷却することが出来ないという問題点がある。又、特許文献１に記載のプロジェクタの構造に於いて、光学素子と保持部材との接触面積を大きく設定した場合には、光学素子が大型化してしまい、映像表示装置の大型化及び材料コストの増加を招くという問題点がある。更に、保持部材に設けた放熱部を大きく設定した場合には、保持部材が大型化してしまい、映像表示装置の大型化及び材料コストの増加を招くという問題点がある。
【０００６】
この発明は、上記の様な問題点を克服すべく成されたものであり、レンズ等の光学素子の冷却効率に優れ且つ小型で安価な映像表示装置を実現することを、その目的としている。
【課題を解決するための手段】
【０００７】
この発明の主題は、可視光を発光する発光素子を備えた光源と、その表面に対向する背面上に設けられた放熱フィンを備えた放熱器と、前記放熱器に対して空気を流動させる様に配置された、前記空気を流動させるための送風装置と、前記光源から発せられた前記可視光を屈折させるためのレンズとを備え、前記光源は、前記放熱器の前記表面に熱的に接続されており、前記レンズは前記光源との間に空間を形成する様に配置されている、映像表示装置であって、前記送風装置により前記映像表示装置内に取り込まれた前記空気の一部が、前記放熱フィンの間隙を経た後に前記映像表示装置の外部へと排気されるまでの第１流路と、前記送風装置により前記映像表示装置内に取り込まれた前記空気の一部が、前記放熱フィンの間隙を経た後に、前記第１流路とは別に、前記光源と前記レンズとの間に形成された前記空間を流れるための第２流路とを備え、前記送風装置により前記映像表示装置内に取り込まれた前記空気は、前記放熱フィンの間隙を別方向へ通過することにより前記第１流路と前記第２流路との２方向に分岐し、前記レンズの材料はプラスチックであることを特徴とする。
【発明の効果】
【０００８】
本発明の主題によれば、光源の発光素子とレンズとの間に形成された空間が送風装置から送風される外気の流路として機能するため、発光素子から発せられた光がレンズを通過する際のレンズの発熱による温度上昇を抑制することが出来ると共に、発光素子の温度上昇を抑制することも出来る。しかも、放熱器自体も外気の流路を形成しているため、放熱器の温度上昇を抑制することも出来る。その結果、光源に多くの電力を投入して光源からの出射光の明るさを向上させた場合に於いても、レンズを十分に冷却することが出来ると共に、発光素子をも十分に冷却することが出来る。しかも、温度上昇に伴うレンズの材質の劣化を軽減出来るため、レンズの耐久性を向上することが可能である。更に、レンズ及び発光素子の冷却の効率が向上し、送風装置で映像表示装置内を流動させる空気の量を低減することが出来るため、送風装置が発生させる騒音を低減することが出来る。
【０００９】
以下、この発明の主題の様々な具体化を、添付図面を基に、その効果・利点と共に、詳述する。
【発明を実施するための最良の形態】
【００１０】
（実施の形態１）
図１は、本実施の形態に係る映像表示装置の内部構造を模式的に示す分解斜視図である。又、図２は、図１に示す映像表示装置の主な部材のみを示す分解斜視図である。又、図３は、図２に示す構造を上面から見た際の横断面図であり、空気の流れを記載するための図である。又、図４は、本実施の形態に係る映像表示装置の光学エンジン１１の筐体とレンズ２３とを部分的に模式的に示す分解斜視図である。更に、図５は、図１に示す本実施の形態に係る映像表示装置に用いる光源１０の構成を模式的に示す概略斜視図である。尚、上記の各図面に於いて、同一又は相当する部分には、同一の参照番号を付すこととしており、その重複記載を繰返さない。以下、図１〜図５を参照して、本実施の形態に係る映像表示装置を具体的に詳述する。
【００１１】
本実施の形態に係る映像表示装置は、大要、（１）可視光を面状に発光する発光素子を備えた光源と、（２）放熱フィンを備えた放熱器と、（３）映像表示装置の周辺の外気を取り込んで映像表示装置内に送風することで映像表示装置内の空気を流動させるための送風装置と、（４）光源から発せられた可視光を所定の角度に屈折させるためのレンズとを、少なくとも備えている。
【００１２】
光源は、放熱器に、熱的に接続されている。ここで、「熱的に接続されている」とは、熱伝導により２つの部材間で熱の移動を生じる状態を意味する。
【００１３】
レンズは、その上に発光素子が熱的に接続されている光源の一方の面との間に、空気が流れ得る空間を、空気の流路として生じさせる様に、光源に対して相対的に配置されている。
【００１４】
送風装置は、映像表示装置の意匠筐体に設けられた吸気口を介して取り込んだ映像表示装置周辺の外気を映像表示装置内の放熱器に向けて送風することで、放熱器の放熱フィンに沿って空気を通過させることで、映像表示装置内に於いて空気を流動させ得る様に、放熱器に対して配置されている。
【００１５】
本実施の形態に係る映像表示装置では、送風装置により映像表示装置内に取り込んだ外気（空気）を放熱器の放熱フィンの間隙を通過させることで、映像表示装置内の空気を流動させ、空気と放熱フィンとの間で生じる熱伝達により、放熱器の熱を奪う。同様に、本映像表示装置では、放熱器の放熱フィンの間隙を通過して放熱フィンの出口側から出て来た空気の一部を、光源の発光素子とレンズとの間に形成された上記空間から成る上記流路に流動させることで、空気とレンズ、空気と発光素子、及び、空気と放熱器のそれぞれの間で、空気との間に生じる熱伝達により、レンズ、発光素子及び放熱器のそれぞれの熱を奪う。
【００１６】
この様に、本映像表示装置では、光源の発光素子側の空間、及び、放熱器の放熱フィン側の空間をそれぞれ送風装置が送風する空気の流れによって冷却出来るため、レンズと共に光源を効率良く冷却出来る構造が、実現されている。
【００１７】
先ず、本映像表示装置の構成部材について、以下に記載する。
【００１８】
図１に示す様に、本映像表示装置は、（１）４６０ｎｍ近傍の波長を有し青色に発光する青色光源１０ｂと、（２）５２５ｎｍ近傍の波長を有し緑色に発光する緑色光源１０ｇと、（３）６２５ｎｍ近傍の波長を有し赤色に発光する赤色光源１０ｒとを、備えている。尚、以下に於いて、個々の光源を特定しないで各光源を示すときには、参照符号“１０”を用いる。
【００１９】
図５に示す様に、光源１０は、大要、発光素子５０と金属回路基板５１とで構成されている。本例では、発光素子５０は、発光ダイオード、即ち、ＬＥＤ（Ｌｉｇｈｔ  Ｅｍｉｔｔｉｎｇ  Ｄｉｏｄｅ）より成り、所定の電圧を印加して電流を流すことで発光する半導体素子である。尚、本例では、既存の発光ダイオードを発光素子５０に用いるので、発光ダイオードに関する詳細な説明を割愛する。
【００２０】
発光素子５０は、その発光面が四角形状を成し、面状に発光する面光源である。発光素子５０は、可視光を発光する。発光素子５０を構成する材料によって、青色の光、緑色の光、及び、赤色の光を発光する。発光素子５０は、金属回路基板５１に対して概ねその中央部に配置されて、実装されている。換言すれば、発光素子５０は、金属回路基板５１の一方の面（表面）５１Ｓ１の上に熱的に接続されている。金属回路基板５１の材料としては、熱を効率良く拡散させるために、熱伝導率の高い材料を用いるのが望ましい。より具体的には、熱伝導率が５０Ｗ／（ｍ・Ｋ）以上、より好ましくは熱伝導率が１００Ｗ／（ｍ・Ｋ）以上の材料を、金属回路基板５１の材料として用いるのが望ましい。又、金属回路基板５１の表面５１Ｓ１上には、発光素子５０の温度を管理するためのサーミスタ５２が実装されている。更に、金属回路基板５１の表面５１Ｓ１の下方端部上には、発光素子５０へ電圧を供給するためのコネクタ５３が実装されている。更に、コネクタ５３は、サーミスタ５１へ電気信号を伝達するためにも用いられる。
【００２１】
図１及び図２に示す様に、本映像表示装置は、（１）緑色光源１０ｇを冷却するための(第１)放熱器２０ｇと、（２）青色光源１０ｂ及び赤色光源１０ｒを冷却するための(第２)放熱器２０ｂｒとを、備えている。尚、以下に於いて、個々の放熱器を特定しないで各放熱器を示すときには、参照符号“２０”を用いる。図２に明示する様に、緑色光源１０ｇの金属回路基板５１の他方の面である裏面５１Ｓ２(図５参照)は、第１放熱器２０ｇの一方の面（第１面）２０Ｓ１上に、熱的に接続されている。又、青色光源１０ｂ及び赤色光源１０ｒの各々の金属回路基板５１の裏面５１Ｓ２もまた、第２放熱器２０ｂｒの一方の面（第１面）２０Ｓ１上に、熱的に接続されている。
【００２２】
第１放熱器２０ｇは、光源１０ｇをその上に取付ける第１面２０Ｓ１の上方から眺めた場合には、ほぼ正方形の形状を成している。他方、第２放熱器２０ｂｒは、光源１０ｂ及び光源１０ｒをその上に取付ける第１面２０Ｓ１の上方から眺めた場合には、ほぼ長方形の形状を成している。放熱器２０としては、熱を効率良く拡散させるために、熱伝導率の高い材料を用いるのが望ましい。より具体的には、熱伝導率が５０Ｗ／（ｍ・Ｋ）以上の材料を、より好ましくは、熱伝導率が１００Ｗ／（ｍ・Ｋ）以上の材料を、放熱器２０の材料として用いるのが望ましい。
【００２３】
放熱器２０は、既述した通り、対応する光源１０を熱的に接続・設置するための平坦な面２０Ｓ１を有しており、その背面ないしは裏面２０Ｓ２の上には、多数の放熱フィン２１が形成されている。放熱フィン２１に関しては、その放熱面積を増加させるために、放熱フィン２１の表面に微小な凹凸を多数形成するのが望ましい。
【００２４】
図１及び図２に示す様に、本映像表示装置は、その送風口が第１放熱器２０ｇの放熱フィン２１に対向する様に、第１放熱器２０ｇの放熱フィン２１と本映像表示装置の意匠筐体６０（図１）に設けられた吸気口（図示せず）との間に配設された、送風装置２２を備えている。本例では、既述した通り、送風装置２２に関しては、上記の吸気口から本映像表示装置周辺の相対的に冷えた外気を本映像表示装置内に取り込んで放熱フィン２１に向けて当該外気を送風する方向にのみ回転する機能のみが用いられる。従って、送風装置２２は、その動作中、常に、相対的に冷えた外気を本映像表示装置内に向けて通過させるだけなので、送風装置２２の寿命を、本映像表示装置内の空気を上記吸気口を介して外部へ排出する装置としても送風装置２２を利用する場合と比較して、相対的に延ばすことが出来る。送風装置２２には、放熱器２０ｇとほぼ同じ寸法のものが用いられている。但し、送風装置２２の寸法は、これに限定されるものではなく、放熱器２０ｇの寸法よりも送風装置２２の寸法を大きく設定しても良いし、又は、小さく設定しても良い。送風装置２２は、より具体的には、回転軸の方向に送風する機能を有した軸流ファンである。但し、送風装置２２の種類は、これに限定される訳ではなく、例えば遠心ファン等の他の種類のファンを送風装置２２として用いても良い。送風装置２２は、送風装置２２を駆動させるための電圧を供給するためのリード線（図示せず）、及び、送風装置２２の状態及びその異常を検知するためのセンサー（図示せず）を備えている。尚、本例では、既存の送風装置が送風装置２２として用いられるので、送風装置２２の構成等に関する詳細な記載を省略する。
【００２５】
図２に示す様に、本映像表示装置は、光源１０から発せられた光を所定の角度に屈折させるためのレンズ２３を、緑色光源１０ｇ、青色光源１０ｂ、及び赤色光源１０ｒのそれぞれについて、１枚ずつ備えている。レンズ２３は、当該レンズ２３に対応する光源１０から発せられた入射光を略平行光として出射する機能を有する。但し、レンズ２３の機能を略平行光として出射する機能に限定するものではなく、例えば、レンズ２３を含む２枚以上のレンズで以って入射光を略平行光とする様に、レンズ群を構成しても良い。
【００２６】
レンズ２３としては、対応する発光素子５０から発せられた光を効率良く伝搬させるために、透過率の高い材料を用いるのが望ましい。より具体的には、光源１０から出射される光の内で主たる波長の光の透過率が８０％以上となる材料を、より好ましくは８５％以上の材料を、レンズ２３の材料として用いるのが好ましい。尚、本実施の形態に於いて、レンズ２３が有する入射面及び出射面の各々の形状は、映像を表示する光学系の構成に応じて変化するので、各形状に関する詳細な記載を本例では省略する。
【００２７】
図１に示す様に、本映像表示装置は、光学エンジン１１及び投射レンズ１２を備えている。
【００２８】
光学エンジン１１は、光学エンジン１１の筐体の内部に、各種の光学素子を搭載している。搭載されている光学素子としては、より具体的には、ダイクロイックミラー、フライアイレンズ、ミラー、リレーレンズ、及び全反射プリズムを列挙することが出来る（何れも図示せず）。更に、光学エンジン１１の筐体の内部には、表示デバイス（図示せず）が搭載されている。当該表示デバイスとしては、微小な多数のミラーが形成され、各ミラーの角度を映像信号に基づいて機械的に制御することで光線方向を制御する反射型の表示素子が、一例として用いられている。尚、光学素子としては、上記に列挙した物に限定されるものではなく、その他の種々の光学素子を用いることが出来る。又、表示デバイスないしはライトバルブに関しても、上記のマイクロミラーデバイスに限定されるものではなく、例えば、液晶を用いた反射型の表示デバイス、又は、液晶を用いた透過型の表示デバイスを用いても良い。
【００２９】
又、図４に例示する様に、光学エンジン１１の筐体は、レンズ２３を装着するための取付け開口部を備えている。
【００３０】
次に、本実施の形態に係る映像表示装置に於ける構成部材の配置について記載する。
【００３１】
図１に示す様に、青色光源１０ｂ及び赤色光源１０ｒは、それぞれの光源の中心を通る光軸の方向が概ね平行となる様に、配置されている。他方、緑色光源１０ｇは、その中心を通る光軸の方向が青色光源１０ｂ及び赤色光源１０ｒの上記光軸方向に対して概ね直交する様に、配置されている。即ち、それぞれの光源１０ｇ、１０ｂ、１０ｒは、本映像表示装置の上方から各光源を眺めた際に、Ｌ字型を成す様に配置されている。但し、光源１０の配置は、このＬ字型配置に限定される訳ではなく、例えば、それぞれの光源１０の中心を通る光軸の方向が互いに概ね平行と成る様に、各光源１０を一直線状に並ぶ様に配置しても良い。
【００３２】
光源１０の配置順序に関しては、送風装置２２の位置から見て、緑色光源１０ｇ、青色光源１０ｂ、及び赤色光源１０ｒの順序で、各光源１０は配置されている。この配置は、発熱量のより大きい光源１０が先に来る様な順序により、決定付けられている。
【００３３】
光源１０と放熱器２０とは、それぞれを所定の位置に位置決めした状態に於いてネジ留めにより固定されることで、一体化されている。そして、光源１０と放熱器２０とが互いに熱的に接続している両面５１Ｓ２(図５)、２０Ｓ１(図２)は、上記のネジ留めにより、一定の圧力が生じた状態と成っている。尚、光源１０と放熱器２０との熱的接続に於いては、互いを熱的に接続する面の微小な凹凸により生じる空気層を取除くために、流動性を有する熱伝導率の高い材料を介在させて両者１０、２０を取付けるのが望ましい。より具体的には、熱伝導率が１Ｗ／（ｍ・Ｋ）以上、より好ましくは熱伝導率が５Ｗ／（ｍ・Ｋ）以上の材料を、上記介在材料に用いるのが望ましく、例えばシリコングリスが用いられる。放熱器２０は、光学エンジン１１の筐体に、ネジ留めにより固定されている。
【００３４】
送風装置２２は、その送風口側面が放熱器２０ｇに対向する様に配置されており、ネジ留めにより意匠筐体６０に固定されている。又、光学エンジン１１及び投射レンズ１２も、ネジ留めにより意匠筐体６０に固定されている。尚、それぞれの部材を固定する方法としてネジ留めを用いているが、この固定方法に限定される訳ではなく、例えば、部材と部材とを嵌め込む方法で、両部材を固定することとしても良い。
【００３５】
図１及び図４に示す様に、放熱器２０及び光学エンジン１１は、放熱器２０の表面２０Ｓ１と光学エンジン１１の側壁とによって、光源１０の発光素子５０側の空間に放熱フィン２１の間隙を通過して出て来た空気が回り込んで流れる様に、空気の流路を形成している。
【００３６】
次に、本実施の形態に係る映像表示装置に於ける特徴的な動作について記載する。
【００３７】
図３は、図１の本映像表示装置内に於ける、空気の流れを模式的に示す図である。図３に於いて、矢印は空気の流れを示す。図３に示す様に、送風装置２２に所定の電圧を印加して送風装置２２を駆動させると、送風装置２２は、常に、意匠筐体６０に設けられた吸気口（図示せず）から、本映像表示装置周辺の外気に該当する空気を吸引して、空気を本映像表示装置内に取込む。この様にして取込まれた空気は、先ず、放熱器２０の放熱フィン２１へと至り、放熱フィン２１の間隙を通過した後、２方向に分岐する。一方の空気の流れは、放熱器２０ｂｒ側へと流れる第１経路であり、他方の空気の流れは、緑色光源１０ｇの発光素子２０の直上の空間へと流れ至る第２経路である。
【００３８】
第１経路へと至った空気は、放熱器２０ｂｒへ至り、放熱器２０ｂｒの放熱フィン２１の間隙を通過した後に、意匠筐体６０に設けられた排気口（図示せず）から、本映像表示装置の外部へと排出される。この様に、第１経路は、空気の第１流路を成す。
【００３９】
第２経路へと至る空気は、先ず緑色光源１０ｇの直上の空間へと至り、レンズ２３及び緑色光源１０ｇの発光素子５０、並びに、それら部材２３、５０の周辺を通過する。更に、緑色光源１０ｇの直上の空間を通り抜けた空気は、第３経路として、青色光源１０ｂの直上の空間、及び、赤色光源１０ｒの直上の空間へと、順次に至る。第２経路の場合と同様に、第３経路を流れる空気は、青色光源１０ｂの発光素子５０及び青色光源１０ｂに対向するレンズ２３、赤色光源１０ｒの発光素子５０及び赤色光源１０ｒに対向するレンズ２３、並びに、それらの部材の周辺領域を、それぞれ通過する。その後、空気は、放熱器２０ｂｒを迂回する様にして、上記排気口を介して、本映像表示装置の外部へと排出される。この様に、第２経路及びそれに引き続く第３経路は、空気の第２流路を成す。
【００４０】
以上の様な空気の流れによって、空気が各経路を通過する際に、熱伝達により空気とそれぞれの部材との間に熱交換が生じ、空気は部材の熱を奪いながら、最終的には上記排気口より本映像表示装置の外部へと排出される。
【００４１】
この様な構成によれば、光源１０の発光素子５０と対応するレンズ２３との間に形成された空間が空気の流路となるため、発光素子５０から発せられた光がレンズ２３を通過する際のレンズ２３の発熱による温度上昇を抑制することが出来ると共に、発光素子５０の温度上昇を抑制することも出来る。しかも、放熱器２０の放熱フィン２１側にも空気の流路を形成しているため、放熱器２０の温度上昇をも抑制することが出来る。その結果、光源１０に多くの電力を投入して明るさを向上させた場合に於いても、レンズ２３を十分に冷却することが出来ると共に、発光素子５０を十分に冷却することが出来る。加えて、温度上昇に伴うレンズ２３の材質の劣化を軽減することが出来るため、レンズ２３の耐久性を向上させることが出来る。更に、上記の通りに冷却効率が向上するので、送風装置２２で流動させる空気の量を低減させることが出来るため、送風装置２２が発生させる騒音を低減することが出来る。
【００４２】
尚、本実施の形態によれば、既述の通り、レンズ２３を空気の流れによって十分に冷却することが出来るため、耐熱温度がガラスに比べて低いプラスチックを、レンズ２３の材料として用いることが出来る。この場合には、安価にレンズ２３を製造出来るため、本映像表示装置のコストを低減することが出来、且つ、軽量化することも出来る。
【００４３】
又、本実施の形態によれば、レンズ２３を十分に冷却することが出来るため、レンズ２３の表面上に反射防止膜を形成することが出来る。この場合には、発光素子５０が発する光をレンズ２３での反射を抑制して効率良く光を伝搬することが出来るので、伝搬時の光量の減少を抑制出来る結果、本映像表示装置の表示光をより明るくすることが出来る。
【００４４】
又、本実施の形態に於いて、光源１０のコネクタ５３(図５)（少なくともその一部）を第２流路中に配置する様にしても良い。この場合には、光源１０により一層大きな電流を投入した場合でも、電流による発熱を冷却することが出来るため、光源１０をその分だけ明るくすることが出来る。
【００４５】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００４６】
この発明は、例えばプロジェクタの様な映像表示装置に適用して好適である。
【図面の簡単な説明】
【００４７】
【図１】この発明の実施の形態１に係る映像表示装置の内部構造を模式的に示す分解斜視図である。
【図２】図１に示す映像表示装置に於ける主要な部材のみを模式的に示す分解斜視図である。
【図３】図１に示す映像表示装置内の空気の流れを模式的に示す横断面図である。
【図４】図１に示す映像表示装置の光学エンジンの筐体とレンズとを部分的に模式的に示す分解斜視図である。
【図５】図１に示す映像表示装置に用いられる光源を模式的に示す概略斜視図である。
【符号の説明】
【００４８】
１０  光源、１０ｂ  青色光源、１０ｇ  緑色光源、１０ｒ  赤色光源、１１  光学エンジン、１２  投射レンズ、２０  放熱器、２１  放熱フィン、２２  送風装置、２３  レンズ、５０  発光素子、６０  意匠筐体。
【図１】
0005159347.tif 000002
【図２】
0005159347.tif 000003
【図３】
0005159347.tif 000004
【図４】
0005159347.tif 000005
【図５】
0005159347.tif 000006